(57)【要約】  【課題】  保守点検等に行われる火災感知器の発報試験作業の試験履歴情報を火災感知器に記録できるようにして、例えば、試験漏れの火災感知器を見つけることができるようにする。  【解決手段】  火災感知器に設けられたＩＣタグに対して非接触でデータを読出し、かつ書込み可能なリーダライタと、擬似火災発生手段と、を備えた火災感知器の作動試験器であって、前記火災感知器に設けられたＩＣタグに対して、発報試験作業の試験履歴情報を書き込み可能であることを特徴とする。  【選択図】  図１
2005250912.tif 000002
【特許請求の範囲】
【請求項１】
火災感知器に設けられたＩＣタグに対して非接触でデータを読出し、かつ書込み可能なリーダライタと、擬似火災発生手段と、を備えた火災感知器の作動試験器であって、
前記火災感知器に設けられたＩＣタグに対して、発報試験作業の試験履歴情報を書き込み可能であることを特徴とする火災感知器の作動試験器。
【請求項２】
火災感知器に設けられた確認灯の発光を受光する受光部を備え、前記受光部が前記確認灯の発光を受光することで、発報試験作業時に前記火災感知器が試験発報したと判断して、前記火災感知器に設けられたＩＣタグに対して、発報試験作業の試験履歴情報を書き込むことを特徴とする請求項１記載の火災感知器の作動試験器。
【請求項３】
擬似火災発生手段が擬似火災状態になってから所定時間内に受光部が確認灯の発光を受光することで、発報試験作業時に火災感知器が試験発報したと判断することを特徴とする請求項２記載の火災感知器の作動試験器。
【請求項４】
所定時間は、火災感知器に設けられたＩＣタグに予め記憶された感度種別情報及び蓄積情報に基づき決定されることを特徴とする請求項３記載の火災感知器の作動試験器。
【請求項５】
ＩＣタグが火災感知器外面に設けられて種別表示シールまたは銘版シールを兼用していることを特徴とする請求項１〜４記載の火災感知器の作動試験器。
【請求項６】
外部に設けられたリーダライタにより非接触でデータを読み出し、かつ、書き込みされるＩＣタグを備えた火災感知器であって、
前記ＩＣタグは、前記火災感知器の外面に設けられて種別表示シールまたは銘版シールを兼用しているとともに、前記リーダライタにより発報試験作業の試験履歴情報を書き込まれることを特徴とする火災感知器。
【発明の詳細な説明】
【技術分野】
【０００１】
本発明は、保守点検等に行われる火災感知器の発報試験作業における試験履歴情報を火災感知器側に記録できるようにした火災感知器及び火災感知器の作動試験器に関する。
【背景技術】
【０００２】
火災受信機に試験復旧スイッチを備え、試験復旧スイッチが操作されたときには、火災感知器から受信した火災信号を、順番に記憶手段に記憶させるようにして、これにより、火災感知器に作動試験器を近づける作業、いわゆる「あぶり試験」を一通り終えた後に、記憶手段に記憶した火災信号を読み出すことができるようにしたものがある。そのため、検査員は、保守点検等に行われる火災感知器の発報試験作業における試験結果を確認できる。（例えば、特許文献１参照）。
【特許文献１】特開平１２−９９８４２号公報
【発明の開示】
【発明が解決しようとする課題】
【０００３】
検査員は、試験漏れの火災感知器があった場合は、この火災感知器の発報試験作業を速やかに行う必要があるが、検査員は、火災感知器側に試験履歴情報が残っていないため、試験漏れの火災感知器を見つけることができなかった。また、保守点検時のみに限らず、火災感知器側に試験履歴情報を記憶しておけば、いつでも読み出せることができるので都合がよい。
【０００４】
本発明は、上記課題を解決するためになされたもので、保守点検等に行われる火災感知器の発報試験作業の試験履歴情報を火災感知器に記録できるようにすることを目的とする。
【課題を解決するための手段】
【０００５】
本発明は、火災感知器に設けられたＩＣタグに対して非接触でデータを読出し、かつ書込み可能なリーダライタと、擬似火災発生手段と、を備えた火災感知器の作動試験器であって、前記火災感知器に設けられたＩＣタグに対して、発報試験作業の試験履歴情報を書き込み可能であることを特徴とする。
【０００６】
また、火災感知器に設けられた確認灯の発光を受光する受光部を備え、前記受光部が前記確認灯の発光を受光することで、発報試験作業時に前記火災感知器が試験発報したと判断して、前記火災感知器に設けられたＩＣタグに対して、発報試験作業の試験履歴情報を書き込むことを特徴とする。
【０００７】
また、擬似火災発生手段が擬似火災状態になってから所定時間内に受光部が確認灯の発光を受光することで、発報試験作業時に火災感知器が試験発報したと判断することを特徴とする。
【０００８】
また、所定時間は、火災感知器に設けられたＩＣタグに予め記憶された感度種別情報及び蓄積情報に基づき決定されることを特徴とする。
【０００９】
また、ＩＣタグが火災感知器外面に設けられて種別表示シールまたは銘版シールを兼用していることを特徴とする。
【００１０】
また本発明は、外部に設けられたリーダライタにより非接触でデータを読み出し、かつ、書き込みされるＩＣタグを備えた火災感知器であって、前記ＩＣタグは、前記火災感知器の外面に設けられて種別表示シールまたは銘版シールを兼用しているとともに、前記リーダライタにより発報試験作業の試験履歴情報を書き込まれることを特徴とする。
【発明の効果】
【００１１】
請求項１記載の発明によれば、火災感知器の作動試験器は、火災感知器に設けられたＩＣタグに対して非接触でデータを読出し、かつ書込み可能なリーダライタと、擬似火災発生手段と、を備えており、火災感知器に設けられたＩＣタグに対して、発報試験作業の試験履歴情報を書き込み可能である。そのため、火災感知器側に発報試験作業の試験履歴情報を記録できる。これにより、発報試験作業時に点検漏れの火災感知器があった場合でも、検査員は、作動試験器で火災感知器側の試験履歴情報を確認することで、試験漏れの火災感知器を容易に見つけることができる。
【００１２】
請求項２記載の発明によれば、火災感知器の作動試験器は、火災感知器に設けられた確認灯の発光を受光する受光部を備えており、受光部が確認灯の発光を受光することで、発報試験作業時に火災感知器が試験発報したと判断して、火災感知器に設けられたＩＣタグに対して、発報試験作業の試験履歴情報を書き込む。そのため、火災感知器側に発報試験作業の試験履歴情報を自動的に記録できる。
【００１３】
請求項３記載の発明によれば、火災感知器の作動試験器は、擬似火災発生手段が擬似火災状態になってから所定時間内に受光部が確認灯の発光を受光することで、発報試験作業時に火災感知器が試験発報したと判断する。そのため、発報試験作業時における火災感知器の機能の正常異常の判断を、時間効率よく行うことができる。
【００１４】
請求項４記載の発明によれば、請求項３における所定時間は、火災感知器に設けられたＩＣタグに予め記憶された感度種別情報及び蓄積情報に基づき決定される。そのため、発報試験作業時における火災感知器の機能の正常異常の判断を、さらに時間効率よく行うことができる。
【００１５】
請求項５記載の発明によれば、ＩＣタグが火災感知器外面に設けられて種別表示シールまたは銘版シールを兼用している。これにより、従来の種別表示シールまたは銘版シールを省略することができる。
【００１６】
請求項６記載の発明によれば、火災感知器は、外部に設けられたリーダライタにより非接触でデータを読み出し、かつ、書き込みされるＩＣタグを備えており、ＩＣタグは、火災感知器外面に設けられて種別表示シールまたは銘版シールを兼用しているとともに、リーダライタにより発報試験作業の試験履歴情報を書き込まれる。そのため、火災感知器側に発報試験作業の試験履歴情報を記録できる。また、従来の種別表示シールまたは銘版シールを省略することができる。
【発明を実施するための最良の形態】
【００１７】
この発明の第１実施例を図１〜図５により説明する。天井板１にはベース２が設けられ、このベース２には、火災感知器の一例として煙感知器３が係止されている。
【００１８】
煙感知器３の外面における上面（天井板１から露出する面）には、シート状の非接触型ＩＣタグ７が貼着されている。非接触型ＩＣタグ７は、ＲＦＩＤ（ｒａｄｉｏ ｆｒｅｑｕｅｎｃｙ ｉｄｅｎｔｉｆｉｃａｔｉｏｎ）であり、その構造としては、詳細には説明しないが、外部からの情報（データ）の書き込み及び読み出しが可能なＩＣモジュール（図示略）と、ＩＣモジュールと接続され、外部に設けられたリーダライタ（一例として、動作試験器１０のリーダライタ１６）からの電磁誘導によりＩＣモジュールに電流を供給し、ＩＣモジュールに対する情報の書き込み及び読み出しを非接触状態にて行うための導電性のアンテナ（図示略）とを樹脂シート（図示略）上に搭載し、その表面を表面シート（図示略）により覆い保護しているものであり、樹脂シート裏面に設けられた両面テープ（図示略）により煙感知器３に貼付されている。
【００１９】
上記のように構成された非接触型ＩＣタグ７においては、外部に設けられたリーダライタ１６を近接させることにより、リーダライタ１６からの電磁誘導によりアンテナからＩＣモジュールに電流が供給され、それにより、非接触状態において、リ−ダライタ１６からＩＣモジュールに情報を書き込んだり、ＩＣモジュールに書き込まれた情報をリーダライタ１６にて読み出したりすることができる。
【００２０】
また、非接触型ＩＣタグ７の表面シートには、火災感知器の感度種別（1種、２種、３種、など）を表す模様（図示略）が施されており、これにより、非接触型ＩＣタグ７は種別表示シールとして機能している。そのため、従来から火災感知器の外面に設けられている種別表示シールを省略することができる。
【００２１】
また、この非接触型ＩＣタグ７には、ＩＣタグ番号、火災感知器の照合番号（型式番号、製造年、製造番号、棟階室位置番号、など）、感知器種別（煙、熱、炎、など）、感度種別（１種、２種、３種、など）、蓄積種別（蓄積型、非蓄積型、など）や、報告書作成時に必要な情報などの感知器設定情報が予め書き込まれている。なお、火災感知器のＩＣタグ番号は、個々の火災感知器毎にそれぞれ異なっている。
【００２２】
煙感知器３の煙導入部３ａの外側には、複数のリブ５が周方向に間隔をおいて配設され、該リブ５の脚部近傍には、発報時に点灯する確認灯６が設けられている。
【００２３】
動作試験器１０は、頭部１１と、足部１２と、前記頭部１１と足部１２とを連結するロッド部１３と、を備えている。
【００２４】
頭部１１は、検知円筒部１１ａと、該円筒部１１ａより小径の収容円筒部１１ｂと、を備えている。検知円筒部１１ａの上面に連続する逆円錐台面には、非接触型ＩＣタグ７に対して非接触で情報を読出し、かつ書込み可能なリーダライタ１６と、装着確認スイッチ１７と、リブ係合部１８が設けられ、また、該逆円錐台面に連続する凹部には確認灯６の発光を受光する受光部２１が設けられ、さらに、該逆円錐台面に連続する円錐面にはガス出口２０が設けられている。該頭部１１の外周面には、ブザー２２が設けられている。
【００２５】
収容円筒部１１ｂ内には、擬似火災発生手段の一例としてのガスボンベ２５が設けられ、このガスボンベ２５は、連結パイプ２６を介してガス出口２０に連通している。このガスボンベ２５のバルブ２７は、操作杆２８を介してレバー３０に連結されている。
【００２６】
ロッド部１３の基部には、前記レバー３０と、直前データ消去スイッチ３１が設けられている。
【００２７】
足部１２には、メインスイッチ３５と、プリンタ用スイッチ３６と、デジタル転送用スイッチ３７と、ＩＣタグ情報表示部３８と、プリンタ３９と、が設けられている。
【００２８】
なお、作動試験器１０の足部１２には、制御部４０と記憶部４１、及び時計部４２が設けられている。この制御部４０は、作動試験器１０の全体を制御するものであり、この制御部４０に対して、リーダライタ１６、装着確認スイッチ１７、受光部２１、ブザー２２、レバー３０の動作に連動してオンオフする試験開始スイッチ４３、直前データ消去スイッチ３１、メインスイッチ３５、プリンタ用スイッチ３６、デジタル転送用スイッチ３７、ＩＤタグ情報表示部３８、プリンタ３９、記憶部４１、時計部４２が電気的に接続されている。
【００２９】
次に、本実施例の作動について説明する。火災感知器の発報試験作業において、検査員が動作試験器１０を持ち、試験対象の煙感知器３の下まで移動する。メインスイッチ３５及び直前データ消去スイッチ３１をオンにして、リセットした後、該動作試験器１０の頭部１１を該感知器３に近づけ、リブ係合部１８をリブ５に当接させながら検知円筒部１１ａに差し込む。
【００３０】
そうすると、装着確認スイッチ１７がオンになり、非接触型ＩＣタグ７に対向しているリーダライタ１６が、読み込みを開始し、非接触型ＩＣタグ７に入力されている感知器設定情報を足部１２の記憶部４１に送出する。制御部４０は、この感知器設定情報を表示部３８に表示させる。
【００３１】
レバー３０を引いてバルブ２７を開くと、試験開始スイッチ４３がオンになるとともに、ガスボンベ２５内のガスがガス出口２０から煙感知器３の煙導入部３ａに向かって噴射され、疑似火災の状態が発生する。
【００３２】
煙感知器３の機能が正常であれば、所定時間経過するまでに煙感知器３が試験発報して、確認灯６が点灯発光する。すると、この点灯発光を確認灯６に対向している受光部２１が受光するため、制御部４０は煙感知器３が正常に試験発報したと判断し、この試験履歴情報として、時計部４２による発報月日時刻情報及び正常情報を、この火災感知器の感知器設定情報と対応させて、足部１２の記憶部４１に記憶させる。煙感知器３の機能が正常でなければ、所定時間経過するまでに煙感知器３が試験発報せず、確認灯６が点灯発光しないので、制御部４０は煙感知器３が異常であると判断し、この試験履歴情報として、時計部４２による発報月日時刻情報及び異常情報を、この火災感知器の感知器設定情報と対応させて、足部１２の記憶部４１に記憶させる。
【００３３】
また、制御部４０は、リーダライタ１６を制御して、この試験履歴情報を煙感知器３の非接触型ＩＣタグ７に書き込み、また、この試験履歴情報を表示部３８に表示させ、ブザ−２２を鳴動させる。なお、この時、試験発報した場合は、火災信号が受信機に送出される。
【００３４】
検査員は、ブザー２２の鳴動により、発報試験が終了したと判断し、表示部３８の表示により発報試験結果を確認する。そして、煙感知器３が異常の場合は、作動試験器１０を所定方向に回し、ベース２と煙感知器３との係合を解除し、該試験器１０の頭部１１を下げて該煙感知器３を降ろす。そして、変わりに新しい煙感知器３を前記ベース２に取り付けるようにする。
【００３５】
なお、火災感知器の機能の正常異常の判断基準として、制御部４０は、記憶部４１内に記憶された感知器設定情報における感度種別情報及び蓄積情報から、この試験対象の火災感知器の最適な試験時間を計算して、記憶部４１に記憶しており、そして、レバー３０が引き下げられて擬似火災の状態が発生してから、つまり、試験開始スイッチ４３がオンになってから試験発報するまでの時間がこの試験時間（所定時間）内であるか否かにより、正常又は異常を判別している。
【００３６】
つまり、火災感知器が故障している場合、検査員が、この火災感知器に対する発報試験をいつまでも継続し続けることにより、次の火災感知器の発報試験に移れずに、発報試験作業が効率よく行えないことが考えられる。ここで、試験対象の火災感知器は、感度種別や、蓄積型非蓄積型であるかにより、擬似火災の状態が発生してから、試験発報するまでの時間が異なってくることを踏まえて、これらに基づき算出された所定時間の間、擬似火災の状態を継続させても試験発報しなかった場合に、故障と判断させることで、発報試験作業を効率よく行えるようにしている。
【００３７】
そして、ブザー２２が鳴動するごとに順次点検を進めて行き、この様な工程を繰り返して各階の全感知器の試験を行い、それが終了したら、プリンタ用スイッチ３６をオンすれば、記憶部４１に記憶された試験履歴情報（対応して記憶された感知器設定情報も含む）をプリンタ３９から出力して、発報試験作業の結果を確認できる。また、デジタル転送用スイッチ３７をオンすれば、記憶部４１に記憶された試験履歴情報を、作動試験器１０のコネクタ（図示略）に接続したパソコン等の外部機器にデジタル転送できる。そして、これらにより、記憶部４１に記憶された試験履歴情報を出力して点検報告書等を作成できる。
【００３８】
従来の感知器の発報試験作業の試験履歴情報は、受信機側に記憶されるだけだったので、試験漏れがあった場合、この火災感知器を見つけることが困難であったが、そのような場合でも、作動試験器１０で火災感知器の非接触型ＩＣタグ１６に記憶された試験履歴情報を読み出して確認することにより、試験漏れの火災感知器を容易に見つけることができる。
【００３９】
この発明の実施例は、上記に限定されるものではなく、例えば、次のようにしても良い。
（１）非接触型ＩＣタグは従来の種別表示シールとしての機能を兼用している代わりに、通常、火災感知器の外面としての下面（天井板１から露出しない面）に設けられる従来の銘版シールとしての機能を兼用していてもよい。
（２）リーダライタは図4では非接触型ＩＣタグとほぼ接触するような位置に配設されているが、接触していなくとも無線通信可能な距離に配設されていればよい。
（３）非接触型ＩＣタグを火災感知器に設ける代わりに、火災感知器近傍の天井板に設けても良い。
（４）動作試験器にキーボード等の入力部を設ける。そして、動作試験器の入力部により、火災感知器の非接触型ＩＣタグに試験履歴情報などの情報を手動で書き込めるようにする。
（５）熱感知器の動作試験器の疑似火災発生手段としては、ガスボンベのガスの代わりに、発熱体が用いられる。
【図面の簡単な説明】
【００４０】
【図１】本発明の第１実施例を示す斜視図である。
【図２】天井板に設置されている煙感知器を示す斜視図である。
【図３】天井板に設置されている煙感知器の縦断面縮小図である。
【図４】使用状態を示す縦断面図である。
【図５】動作試験器の概略ブロック回路図である。
【符号の説明】
【００４１】
２ ベース
３ 煙感知器
６ 確認灯
７ 非接触型ＩＣタグ
１０ 動作試験器
１６ リーダライタ
２５ ガスボンベ
【図１】
2005250912.tif 000003
【図２】
2005250912.tif 000004
【図３】
2005250912.tif 000005
【図４】
2005250912.tif 000006
【図５】
2005250912.tif 000007